(57)【特許請求の範囲】
【請求項１】
ポンプ（１８）で患者へ医療流体を注入するための注入システムであって、前記ポンプ（１８）の動作を制御するための複数の注入パラメータを記憶したメモリと、ディスプレイ（２８）と、作動させられるとき選択信号を与える選択キー（２０）と、選択信号に応答して前記メモリに記憶された複数のパラメータの全体の中から注入パラメータを選択して検索し、選択されたパラメータを表示させ且つ該選択されたパラメータに従って動作するように前記ポンプ（１８）を制御するプロセッサ（２２）とを備えている注入システムにおいて、
前記メモリ内には、識別名または注入パラメータの値を含む複数のフラッグされたメモリデータに関連したフラッグが記憶されており、前記識別名は、前記ポンプ（１８）でより普通に使用される薬品の名を含み、前記注入パラメータの値は、前記ポンプ（１８）でより普通に使用される注入パラメータを含み、
作動させられるときにファースト信号を与えるファースト選択キーを更に備えており、
前記プロセッサ（２２）は、前記ファースト信号に応答して、前記フラッグされたメモリデータのみから選択し、選択されたフラッグされたメモリデータを表示させ、該選択されたフラッグされたメモリデータに従って動作するように前記ポンプ（１８）を制御する、
ことを特徴とする注入システム。
【請求項２】
前記メモリ内には、複数の識別名が記憶されており、各識別名は、あるグループの記憶された注入パラメータに関連付けられており、前記フラッグされたメモリデータは、前記複数の記憶された名の全体よりも少ない複数の選択された識別名を含み、
前記プロセッサ（２２）は、前記ファースト信号に応答して、前記メモリに記憶されたフラッグされた識別名のみから選択し、選択された識別名に関連した選択されたグループのパラメータを表示させ、前記選択された識別名に関連したグループのパラメータに従って動作するように前記ポンプ（１８）を制御する請求項１記載の注入システム。
【請求項３】
前記メモリ内には、注入パラメータのうちの少なくともあるものに関連した複数の値が記憶されており、前記フラッグされたメモリデータは、前記複数の記憶された値の全体よりも少ない複数の選択された値を含み、
前記プロセッサ（２２）は、前記ファースト信号に応答して、選択された注入パラメータとして前記メモリに記憶されたフラッグされた値のみから選択し、選択されたフラッグされた値を表示させ、該選択されたフラッグされた値に従って動作するように前記ポンプ（１８）を制御する請求項１記載の注入システム。
【請求項４】
前記メモリ内には、前記注入パラメータのうちの少なくともあるものに関連した複数の値が記憶されており、前記フラッグされたメモリデータは、前記複数の記憶された値の全体よりも少ない複数の選択された記憶された値を含み、
前記プロセッサ（２２）は、前記ファースト信号に応答して、選択された注入パラメータとして前記メモリに記憶されたフラッグされた値のみから選択し、該選択されたフラッグされた値を表示させ、前記選択されたフラッグされた値に従って動作するように前記ポンプ（１８）を制御する請求項２記載の注入システム。
【請求項５】
前記メモリは、各識別名で薬品名を記憶している請求項２または４記載の注入システム。
【請求項６】
各識別名に関連付けられた各グループの記憶された注入パラメータは、投与量および濃度値を含む請求項２または４記載の注入システム。
【請求項７】
識別名を含むデータを与えることのできる遠隔プログラミングソース（１２）と、該遠隔プログラミングソースを前記メモリに接続し且つ該遠隔プログラミングソース（１２）からデータを前記メモリへと伝送して該メモリに記憶させる通信インターフェイス（１４）とを備える請求項２または４または５または６記載の注入システム。
【請求項８】
注入パラメータに関連した値を含むデータを与えることのできる遠隔プログラミングソース（１２）と、該遠隔プログラミングソース（１２）を前記メモリに接続し且つ該遠隔プログラミングソース（１２）からデータを前記メモリへと伝送して該メモリに記憶させる通信インターフェイス（１４）とを備える請求項３または４記載の注入システム。
【請求項９】
ポンプ（１８）で患者へ医療流体を注入するための注入システムの制御方法であって、前記ポンプ（１８）には、該ポンプ（１８）の動作を制御するための複数の注入パラメータを内部に記憶したメモリと、ディスプレイ（２８）と、作動されるときに、選択信号を与える選択キー（２０）と、前記選択信号に応答して前記メモリに記憶された前記複数のパラメータの全体から注入パラメータを選択して検索し、該選択された注入パラメータを表示させ且つ前記選択されたパラメータに従って動作するように前記ポンプ（１８）を制御するためのプロセッサ（２２）とが関連付けられているような注入システムの制御方法において、
前記メモリに、識別名または注入パラメータの値を含む複数のフラッグされたメモリデータに関連したフラッグを記憶させるステップであって、前記識別名は、前記ポンプ（１８）でより普通に使用される薬品名を含み、前記注入パラメータの値は、前記ポンプ（１８）でより普通に使用される注入パラメータを含むようなステップと、
ファースト選択キーから、該ファースト選択キーを作動させたときに、ファースト信号を与えるステップと、
前記ファースト信号に応答して、前記フラッグされたメモリデータのみの中から選択し、該選択されたフラッグされたメモリデータを表示させ、前記選択されたフラッグされたメモリデータに従って動作するように前記ポンプ（１８）を制御するステップと、
を含むことを特徴とする注入システムの制御方法。
【請求項１０】
前記メモリに、各々があるグループの記憶された注入パラメータに関連した複数の識別名を記憶させるステップと、
前記フラッグを記憶させ、前記複数の記憶された名の全体よりも少ない複数の選択された識別名と該フラッグを関連付けさせるステップと、
前記ファースト信号に応答して前記メモリに記憶されたフラッグされた識別名のみの中から選択し、該選択された識別名に関連した前記選択されたグループのパラメータを表示させ、該選択された識別名に関連したグループのパラメータに従って動作するように前記ポンプ（１８）を制御するステップと、
をさらに含む請求項９記載の注入システムの制御方法。
【請求項１１】
前記メモリに、前記注入パラメータの少なくともあるものと関連した複数の値を記憶させるステップと、
フラッグを記憶させ、前記複数の記憶された値の全体よりも少ない複数の選択された記憶された値と該フラッグとを関連付けるステップと、
前記ファースト信号に応答して、ある選択された注入パラメータとして前記メモリに記憶されたフラッグされた値のみの中から選択し、該選択されたフラッグされた値を表示させ、該選択されたフラッグされた値に従って動作するように前記ポンプ（１８）を制御するステップと、
をさらに含む請求項９記載の注入システムの制御方法。
【請求項１２】
前記メモリに、前記注入パラメータの少なくともあるものと関連した複数の値を記憶させるステップと、
フラッグを記憶させ、前記複数の記憶された値の全体よりも少ない複数の選択された記憶された値と該フラッグとを関連付けるステップと、
前記ファースト信号に応答して、ある選択された注入パラメータとして前記メモリに記憶された前記フラッグされた値のみの中から選択し、該選択されたフラッグされた値を表示させ、前記選択されたフラッグされた値に従って動作するように前記ポンプ（１８）を制御するステップと、
をさらに含む請求項１０記載の注入システムの制御方法。
【請求項１３】
前記識別名を薬品名と関連付けるステップをさらに含む請求項１０または１２記載の注入システムの制御方法。
【請求項１４】
投与量および濃度値を、各グループの注入パラメータおよび各識別名と関連付けるステップをさらに含む請求項１０または１２または１３記載の注入システムの制御方法。
【発明の詳細な説明】
発明の背景
発明の分野
本発明は、一般的には、患者へ連続的に投薬を注入するためのシステムに関し、特に、統合投与割合算出機能を有した注入ポンプに関するものである。
関連技術の説明
患者へ投薬を投与するための比較的に最近の装置としては、投薬注入ポンプがある。患者に対して薬品を、注意深く計量し少量ずつ短い間隔にて、または、ある装置を用いてゆっくりではあるが中断することなく投与するために、投薬注入ポンプを使用することができ、これは、多くの要求に応える価値ある開発であった。注入ポンプを用いた治療法は、患者へ投薬を漸次注入するために精密に計画された間隔にて正確に計量された量の薬品を投与するように、電子的に制御されうる。この注入ポンプによれば、繰返し少量モードで動作するので、体内の生化学的平衡の自然維持により近似させることが可能となる。
種々な薬品、治療法および技法が開発され改善されてきたので、薬品供与の高度技法に対する必要性も増大してきている。多くの場合において、このような高度の技法は、注入ポンプの動作をより複雑なものとしてしまう。薬品供与の技法を高度なものとするが、容易に使用できるものとするのが、注入ポンプのメーカの目指すところであった。
現在手に入る注入ポンプは、高度になっているが、注入を制御するのに使用されるパラメータの数が多過ぎる。典型的には、注入ポンプは、患者へ注入される精密に計量された流体流を生ぜしめるポンピング素子を備える。このポンピング素子は、プロセッサによって制御される。このプロセッサは、一般的には、プログラマブルメモリを関連して有しており、このメモリは、注入を制御するためにプロセッサによって使用される命令を記憶するためのものである。複雑な薬品供与計画を制御するためのプログラマブルプロセッサおよび大規模メモリ能力を有した現在手に入る注入ポンプの高度性のため、注入すべき薬品の処方箋を作成する医者が選択しうる選択肢は相当に増してきている。
ありうる注入パラメータの例としては、これらに限定するわけではないが、注入割合、注入持続時間、投与量、停止期間、反復期間、丸薬サイズおよび丸薬割合、患者の体重、注射器サイズ、容器容量、安全コード、薬品単位（例えば、ミリグラム）、薬品濃度、濃度単位または薬物動態学的パラメータがある。これらのパラメータの各々は、ポンプに直接に接続されたキーボードを使用して、ユーザによってポンプのメモリへと入力されうる。別な仕方として、ポンプは、中央コンピュータからネットワークまたは他の通信手段を介して受信されるコマンドによってプログラムされうる。
非常に多くの治療法があり、また、必要なパラメータも非常に多くあるので、メーカは、ユーザが所望のパラメータを入力する入力プロセスを出来るだけ簡単化できるようにするユーザインターフェイスを提供すべく努力してきた。例えば、特定の主注入パラメータに関連した副パラメータをできるだけ多く自動的に選択しうるようにするようなユーザインターフェイスが必要とされている。例えば、注入すべき薬品の種類にしたがって所定の範囲のパラメータ値をユーザに与えると有用であろう。
注入装置の産業界は、これらの要請に対して多くの仕方で応えている。先ず、融通性のある、または、汎用性のある、または、多目的のポンプを提供するには、種々な特性において妥協する必要が多々ある。例えば、医者は、時には、体重および薬品単位に基づいた投与量を選択することがあるが、ポンプは、これらの値をポンプのプロセッサに受け入れられる他の値へと先ず変換しないと、プログラムされ得ない。例えば、投与量がmcg/kg/日で処方されている場合において、その割合をml/hrでプログラムしうるようにするためには、必要なときには、ユーザは、その換算を手で行わねばならない。これらの計算のためには、ユーザの貴重な時間が相当に費やされてしまい、また、計算の後でそれらをポンプへ入力するときには、それが正確であることをチェックするために、さらに時間が必要とされる。
注入ポンプに対してプログラムされるべきパラメータの決定は、典型的には、２つの仕方のうちの一つの仕方で行われる。投与量ベースオペレーションと称される仕方では、医者が投与すべき投与量を指定する。そのとき、対応する注入割合を計算して、ポンプがそれに応じて制御されるようにしなければならない。しかしながら、体積割合ベースオペレーションでは、注入割合を計算する必要はない。何故ならば、その注入割合は、プロセッサによって指定されるからである。その代わり、体積割合ベースオペレーションでは、薬品の対応する投与量を計算する必要がある。この計算は、患者に投与される薬品の投与量の記録を残すようにして行われる。
どちらの場合においても、計算をなさなければならず、したがって、システムは、仕事をできるだけ簡単化し、ユーザを助けて、計算の精度を向上させポンプのメモリへの計算されたパラメータのプログラミングを容易とすることができるようにする手段を備えるのが望ましい。その計算手順は素早く便利であるべきであり、ユーザが戸惑ったりエラーが生ずる機会がないのがよく、患者の反応にしたがって投薬調整が容易にできるようなものであるべきである。
前述したような注入パラメータの換算を行うためのスタンドアローンの計算器があるが、これらは、依然として、計算された値をポンプのメモリへと入力する必要のあるものである。これらの計算器は、例えば、典型的には、指定された投与または注入割合を他の必要なパラメータ値と共に入力する必要のあるものである。そのときには、計算に対する解答、すなわち、注入割合または投与量が表示される。それから、この値は、対応する注入ポンプへと転送されねばならない。したがって、このプロセスは、時間と労力を要するものであり、パラメータが間違って注入ポンプへと転送されてしまう危険性もあるものである。
このような問題に対する別の解決方法としては、投与量の計算に関して医者を助けるためのプログラムを有したコンピュータネットワークへ個々の注入ポンプを接続する方法があった。そのオペレーション時には、看護婦または技師は、看護婦ステーションまたは病室に配置された端末機またはワークステーションからコンピュータネットワークにアクセスする。そして、看護婦または技師は、医者によって処方された注入のためのパラメータを入力し、特殊化薬品計算プログラムにより、必要な計算が行われる。看護婦または技師が満足するとき、その看護婦または技師は、それら入力され計算されたパラメータがコンピュータネットワークを通して注入ポンプへダウンロードされるように要求しうる。
前述したような種類の集中化計算プログラムは、投与量計算プログラムに加えて、不適当な注入パラメータを検出するため患者の記録を参照するための検査機能を与える上で非常に強力なものでありうる。また、注入した場合に患者のアレルギー反応を誘発するかもしれない薬品が処方されているかを判断するために患者の治療履歴と照らしてチェックしうる薬品情報のデータベースを保持することもできる。このような集中化システムの一例によれば、典型的なデフォルト濃度および投与量と共に、注入される典型的な薬品のリストが保持されている。このようなシステムによれば、技師に対して、選択すべき普通に注入される薬品のリストを与えることにより、より速くエラーのない計算が可能となる。このリストから薬品を選択することにより、自動的にデフォルト投与量および注入パラメータが入力される。
かかる中央集中型のコンピュータシステムに伴う問題は、そのシステムが、特殊化したハードウエア、ソフトウエア、ネットワークの配線及びインターフェイスを必要とし、それらの設置と維持には費用がかかることである。かかる中央集中型のシステムが利用できない場合には、看護提供者達は、前記したような独立型の計算機に頼って、必要な計算を行い、投与量のパラメータをその施設の注入ポンプに受入れられる容積測定レートのパラメータに変換する。投与割合計算器を有するポンプについて、看護提供者達の要求に合わせるアプローチの１つが、米国特許第４，８９８，５７８号明細書に記載されている。この米国特許は、オペレータに注入に関連するメニューを提供する、統合型の投与割合計算器を有する注入システムを開示している。注入割合、単位時間についての単位体重当たりの投与量又は単位時間当たりの投与量、体重、溶液の容積及び薬剤の重さについての値が、入力される。操作において、習熟者は、上記５つのパラメータのうち、４つを入力して、残りの１つのパラメータは計算機に判定させるに違いない。しかしながら、この注入システムは、まだ、ユーザに、投与量の単位や濃度の単位を含む、多数の注入パラメータを入力することを要求する。
必要とされていたが今まで利用可能でなかったのは、注入ポンプのメモリに記憶された薬剤のリストから所望の薬剤の名称を選択することにより、オペレータが速やかに且つ精確に注入ポンプをプログラムするのを可能にする投与割合計算機能を有する注入ポンプである。この薬剤の名称の選択は、最も一般に使用される投与単位と薬剤濃度について、デフォルトのパラメータを自動的に選択すべきである。これによって、ユーザによって入力されるパラメータの数を減少できるであろうし、計算をするのに時間を少なくして精確さを改善するであろう。更に、かかるシステムは、注入の開始の前に、ユーザが注入パラメータを注入ポンプに転送する必要性を解消する。
また、リストから薬剤の名称を選択するための、高速でかつ精確な方法が必要とされており、その選択によって、ポンプが、特定の薬剤と関係する投与単位と濃度単位とについて看護を提供する施設の中で使用されている普通の濃度等の、種々の注入パラメータのデフォルト値にプログラムされる。多くの施設においては、比較的限定された数の異なるタイプの薬剤が慣例的に処方されている。しばしば、施設の薬局は、（コストを削減し且つ期限を越えて薬局の棚に残っている薬剤の可能性を削減するように維持されねばならない）在庫の量を最小にするように、それらの薬剤の濃度の選択した範囲だけをストックしている。従って、もし選択したグループの薬剤の濃度が注入ポンプの中でプログラムされて、名称による薬剤の選択が、投与レート計算処理中に使用可能なようにポンプ中に濃度の標準値を自動的にプログラムするのならば、使用が容易になり、精確になり、時間の節約になるという点で、更に改善される。外部プログラミングソースを用いて、記憶した薬剤の名称のリストとそれに関連する関係するパラメータとを、追加したり除去したり更新したりするように、変更できるメモリを有する注入ポンプは、有用性が高い。本発明は、これらの要求にかなうものである。
発明の概要
端的には、及び、一般的には、本発明は、薬剤の名称のリストが記憶されるメモリを有する注入ポンプに関し、各薬剤名称は、その名称に関連する１群の注入パラメータを有し、それによって、ユーザが薬剤名称リストから１つの名称を選択すると、自動的に投与量と濃度の単位についての適正な値が入力される。本発明の注入ポンプは、他の必要とされる注入パラメータの記憶した範囲の値から値を選択するためのユーザインタフェースを提供し、例えば、患者の体重をキログラム値からポンド値に又はポンド値からキログラム値にするように、入力した値を他の値に自動的に変換し、自動的に、投与量単位で処方されて入力されたパラメータから体積測定注入レートを計算する。
本発明の他の特徴において、注入ポンプは、ソフトウエア依存の「ファーストキー」を表示し、これらのキーは、薬剤名称のリストを通してスクロールするのに用いられ、１つの所定の薬剤名称から別の所定の薬剤名称にジャンプさせるのに用いられ、薬剤名称のリストを通して高速に移動して該リストから所望の薬剤名称を選択するのを高速に行う。
本発明の更に別の特徴において、注入ポンプによって、ユーザは、薬剤の投与計画に対する患者の応答に調整するように、選択した注入パラメータを注入中に修正できる。選択したパラメータのエントリによって、投与量すなわち注入割合を再計算し、新しい値が、ユーザの便宜のためにポンプ上に表示される。
更に別の本発明の特徴において、薬剤名称の記憶リストとそれに関連する注入パラメータ値とを含む注入ポンプのメモリは、通信インタフェースを通して特殊なソフトウエアをランしている外部プログラミングソースに注入ポンプを接続することによって変更され得る。この動作の態様において、施設は薬剤名称の記憶リストとそれに関連する注入パラメータとをカスタマイズして、各注入ポンプを特定の要求に合うようにプログラミングする。
【図面の簡単な説明】
図１は、マルチモード医療用注入システムのユーザインターフェイスブロック図である。
図２は、図１のユーザインターフェイス提供するディスプレイ装置を有する注入ポンプの正面図である。
図３は、図２のユーザインターフェイスィスプレイ装置のレイアウトを示す図である。
図４は、図３の液晶ディスプレイの前面部の説明を示す図である。
図５は、図３の液晶ディスプレイのテキストの表示の属性を示す図である。
図６は、図１のユーザインターフェイス全体構成のフローチャートであって、その一部に、本発明の投与割合計算機能が示されている。
図７は、図２のディスプレイの正面図であり、本発明の投与割合計算機能がイネーブルであるとき有効な情報の代表的なマルチチャンネルディスプレイと、本発明の投与割合計算機能がディスエーブルであるときの有効な情報のディスプレイとを示している。
図８は、チャンネル情報ページを示すディスプレイの１例を示す図であり、注入ポンプが体積測定モードで動作しているときその注入ポンプをプログラムするようにユーザによって選択される注入パラメータを表示している。
図９は、注入ポンプが投与割合計算モードで動作しているときに表示されるチャンネル情報ページを示すディスプレイの１例を示す図であり、注入ポンプをプログラムするようにユーザによって選択される１の薬剤名称と他の注入パラメータとが含まれている。
発明の詳細な説明
図面では、図示した装置の同じ部分に同じ参照符号が付してあり、その図面を詳細に参照すると、図１は、マルチモード投薬注入システムのためのユーザインターフェイスの概略ブロック図を示している。ユーザインターフェイスは、通信インターフェイス１４を介してオフラインデジタルコンピュータ１２と通信できる。ユーザインターフェイス１０がこのようにコンピュータ１２と接続されると、指定ソフトウエア１６が、コンピュータ上で実行され、選択された資格のある職員が投薬注入システムの動作に関係する種々のパラメータのデフォルト値を変更できるようにする。このユーザインターフェイス１０の動作モードは、「保守モード」と呼ばれ、以下詳述する。
通常、ユーザインターフェイス１０は、コンピュータ１２に接続されていない。ユーザインターフェイス１０は、マルチチャンネル形状のポンピングエレメントとセンサインターフェイスを含む無菌カセット１８を組み込んだ使い捨て可能な流体路を用いた投薬注入システムの機能を制御する。これについては、本願の譲受人に譲渡された、米国特許第4,919,596号明細書（名称「投薬注入システムのための流体注入制御監視装置」）に記載されている。
ユーザインターフェイス１０は、ユーザ入力コントロール２０、マイクロプロセッサ２２、状態インジケータ２４、オーディオジェネレータ２６及びディスプレイ２８から成る。
好ましい実施例では、ユーザインターフェイス１０は、４つの基本エレメント、すなわち、オーディオ信号ジェネレータ、状態発光ダイオード（ＬＥＤ）、液晶ディスプレイ（ＬＣＤ）及び複数のユーザ入力装置を有する。図２を参照すると、好ましい実施例におけるユーザインターフェイスハードウェアの前面図が示されている。ユーザインターフェイスシャシ３０は、液晶ディスプレイ３２を収容し、その上に４つのユーザ入力コントロール２０Ａ〜２０Ｄがあり、その下にユーザ入力コントロール２０Ｅ〜２０Ｋがある。入力コントロール２０Ａ〜２０Ｄは、瞬時接触スイッチであり、それぞれ「ＯＮ／ＯＦＦ」、「ＳＴＡＮＤＡＲＤ  ＤＩＳＰＬＡＹ」、「ＭＯＲＥ  ＯＰＴＩＯＮＳ」及び「ＳＴＡＲＴ／ＳＴＯＰ」と表示されている。ディスプレイ３２の下に配置されたスイッチ２０Ｅ〜２０Ｋは、いわゆるソフトキーであり、その機能は、ＬＣＤ３２にディスプレイされているものによる。スイッチ２０Ｉ〜２０Ｋは、注入用ポンプを選択するために使用される。これらのスイッチの一つを選択することは、ユーザがＬＣＤ３２にディスプレイされた別の情報のページにアクセスすることを可能にし、ユーザに、選択されたポンプチャンネルの状態に関する情報を提供するか又はそのチャンネルにより供給される注入を制御するようにポンプチャンネルをプログラムするために、ユーザが修正できる値を提供する。
各ポンプ選択スイッチ２０Ｉ〜２０Ｋの面は、２つの状態ＬＥＤを含む。そこで、ポンプ選択スイッチ「Ａ」２０Ｉは、そのスイッチの上部の両側の角に配置された状態ＬＥＤ  ２４Ａ及び２４Ａ′を有し、ポンプ選択スイッチ「Ｂ」２０Ｊは、そのスイッチ「Ｂ」２０Ｊの上部の両側の角に配置された状態ＬＥＤ  ２４Ｂ及び２４Ｂ′を有し、ポンプ選択スイッチ「Ｃ」２０Ｋは、そのスイッチ「Ｃ」２０Ｋの上部の両側の角に配置された状態ＬＥＤ  ２４Ｃ及び２４Ｃ′を有する。ユーザから見てポンプ選択スイッチ２０Ｉ〜２０Ｊの上部の左側の角に配置された状態ＬＥＤ  ２４Ａ〜２４Ｃは、ポンプがＡＣ（交流）電力で動作しているときであって、マルチチャンネルポンピングユニットが室内の電気アウトレットに接続されているときに、連続する緑色光を発生する。同じ状態ＬＥＤ  ２４Ａ〜２４Ｃは、ポンプがバッテリー電力で動作しているときに、ブリンキング緑色光を発生する。ユーザから見てポンプ選択スイッチ２０Ｉ〜２０Ｋの上部の右側の角に配置された状態ＬＥＤ  ２４Ａ′〜２４Ｃ′は、特定のポンプチャンネルに勧告又は警告条件が存在するときに、ブリンキング赤色光を発生する。状態ＬＥＤ  ２４は、ユーザが離れた位置から又は暗い室内で計器の迅速な視覚による検査を行うことを可能とし、ＬＣＤ３２は、計器の状態及び動作に関するすべての詳細な情報を与える。
通常、ユーザプログラムは、注入計画を設定する時点では１つのポンプチャンネルのみしかプログラムしない。ユーザインターフェイス１０は、情報を臨床的に有用な方法でグループ分けするとともにそのグループ分けをＬＣＤ３２に特定のフォーマット（ここでは「ページ」と称する）でディスプレイすることにより、これを容易にするように設計されている。このようにして、情報のページは本のページと同じになる。ユーザは、ディスプレイ上で、所望のタスクを実行するのに使用される適当な情報のページにアクセスできる。或るタスクは、多数の情報ページを必要とし、ユーザインターフェイスは、後述するように、ユーザが種々のソフトキーを使用してページ間を移動することを可能にする。多くの異なるタイプのページが計器のために定められている。しかしながら、本書では、本願発明の投与割合計算機能に関する情報を含むページのみについて説明する。
図３を参照して、ＬＣＤ３２の構造及びＬＣＤ３２の各部にディスプレイされた情報の種類を説明する。ＬＣＤ３２は、ユーザに、ポンプのプログラム及び動作に関するすべての情報と動作の注入パラメータのディスプレイを提供する。
ＬＣＤ３２のディスプレイ領域は４つの部分、すなわち、状態ライン３４、プロンプトライン３６、ソフトキー領域３８及び情報領域４０に分かれる。ＬＣＤ３２は、計器の状態、ポンプの各々及び任意の注入計画に関する一般的な情報及び詳細な情報の双方をディスプレイするために使用される。この情報の多くは、英数字のテキストから成る。ディスプレイの信頼性を高めるために、或る他の可視効果が使用される。図４に示されるように、２つの異なったフォントを使用して文字がディスプレイされる。通常のサイズのテキストは幅５画素、高さ７画素の英数字の文字で構成される。その文字は、幅６画素、高さ１０画素のセルにディスプレイされる。これらの文字は、ＬＣＤ３２上に大半の情報をディスプレイするために使用され、３フィート離れて容易に読めるように設計されている。
大きなサイズのテキストは、通常のサイズのテキストの２倍の大きさの文字から成り、すなわち、各文字は、高さ１４画素、幅１０画素である。大きなサイズのテキストは、数字のデータのみをディスプレイするために使用され、ディスプレイされたデータが８〜１０フィート離れた位置から見ることができるようなサイズにされている。数字の値が少数点以下の数字を含む場合には、図４に示されるように、わずかに短い下線の数字で構成される文字が、その数字をディスプレイするために使用される。そこで、数字の値は、大きなサイズの文字を使用して整数値を表し、わずかに小さな下線の文字を用いて分数を表すことによりディスプレイされる。
テキストは、通常、明るいバックグラウンドに灰色の画素としてディスプレイされるが、反転コントラストのテキスト、すなわち、灰色のバックグラウンドに明るい画素としてディスプレイされてもよい。テキストのブロックを反転コントラストでディスプレイする場合には、テキストがスクリーンの縁部に滲み出ないように文字は常にテキストを囲む少なくとも１つの行／列を有する。スクリーンの部分がちらちらと光る場合には、そのような部分はすべて一斉にちらちらと光る。ブリンキング領域は、図５に示されるように、通常のブロックの内容とバックグラウンド強度のブロックとの間で５００ミリ秒間隔で交替する。
図３を参照すると、ＬＣＤ３２の状態ライン３４が使用されて各ポンプの全体の状態をディスプレイする。この領域３４は、水平方向に３つのサブ領域３４ａ、３４ｂ及び３４ｃに分割されており、各サブ領域はポンプの一つに対応する。状態サブ領域３４ａ〜３４ｃの各々は、通常サイズのテキストの８つの文字に制限される。選択されたポンプの状態が、反転コントラストテキストでディスプレイされる。図３では、例えば、ポンプ「Ａ」が選択されている。状態サブ領域３４ａ〜３４ｃでディスプレイされるテキストの可能な値は、ポンプがサービスを要求していることを指示するＦＡＵＬＴ、警告状態を指示するＡＬＡＲＭ、注入計画が停止したことを指示するＳＴＯＰＰＥＤ、流体の送出が進行していることを指示するＩＮＦＵＳＩＮＧ、ポンプチャンネルの動作が保留されていることを指示するＳＴＡＮＤＢＹ、及び、静脈を拡げておくようにポンプが最小割合で流体を送出していることを指示するＫＶＯである。
プロンプトライン３６は、ソフトキーの真上に配置され、水平ライン４２及び４４によりソフトキーと情報領域４０とから分離されている。プロンプトライン３６は最大２７文字をディスプレイすることができる。プロンプトラインでディスプレイされたテキストは、情報ページが活動的であって、計器の状態がどのようであるかに依存する。プロンプトライン３６でディスプレイされたテキストは、常に、通常のサイズの文字（図４）でディスプレイされる。さらに、プロンプトの重要性に応じて、或るプロンプトはプロンプトライン３６において強調のために反転コントラスト文字でディスプレイされてもよい。
ソフトキー領域３８はＬＣＤ３２の下部を構成し、プロンプトライン３６の下に配置されている。４つの別個のサブ領域３８ｅ〜３８ｈがソフトキー領域３８を形成し、そのサブ領域の各々はソフトキー２０Ｅ〜２０Ｈの一つの上の中央に置かれている。ソフトキーサブ領域３８ｅ〜３８ｈの各々は、ソフトキーのラベルを表すために６つの通常サイズの反転コントラスト文字で構成されるテキストのブロックをディスプレイできる。
プロンプトライン３６と状態ライン３４の間のＬＣＤ３２の主要部分は、情報領域４０であり、この情報領域４０は、ポンプの動作形状と状態に応じて与えられた時間において関係のある情報は何でもディスプレイするために使用される。情報領域４０は、３７個の通常サイズのテキスト文字の６つのラインをディスプレイできる。
インターフェイス１０上のユーザー入力２０はフロントパネルコントロール２０Ｋから成る。このフロントパネルコントロールは、４個のソフトキー２０Ｅ−２０Ｈと７個の専用スイッチ２０Ｉ−２０Ｋから成る。各ソフトキーは、ＬＣＤスクリーン３２に、ソフトキーの直ぐ上で標示をつけられているが、キーそれ事態には標示を付してはいない。
「ＯＮ／ＯＦＦ」コントロール２０Ａにより、ユーザーは、装置をオン・オフできる。装置が「ＯＦＦ」にされると、このコントロールを活性させて装置のエレクトロニクスに給電し、そして装置のエレクトロニクスをリセットさせる。装置が「ＯＮ」にされると正常に作動し、このコントロール２０Ａの活性を検知して、装置を停止させ、スイッチ２０Ａを解放して装置への給電を止めて終わらせる。装置が「ＯＮ」のときで作動不良が発生すると（すなわち、警報が発せられると）、キー２０Ａの活性により即時に装置から電力を除去する。
図１に簡単に示されているポンプ１８のそれぞれは、図２に示すようにポンプ選択キー２４を有する。各キーは、それと関連のポンプ１８の使い捨てのカセットと並べられている。キー２４Ａ−２４Ｃには、Ａ、Ｂ、Ｃの標識が付されている。ポンプ選択キー２４を活性にすると、その関連のポンプ２８を「選択」されたポンプとし、そしてＬＣＤ３２はポンプ状態頁へ変わる。
「ＳＴＡＲＴ／ＳＴＯＰ」キー２０Ｄを使って注入処方を開始させ、そして停止させる。
「ＭＯＲＥ  ＯＰＴＩＯＮ」キー２０Ｃを使って特定の標示頁に対してより多くのソフトキーファンクションを表示する。ただ一組のソフトキーファンクションだけがその表示された頁で得られるのであれば、このキーを押すことは何の益もない。特定の標示頁に対して追加のソフトキーファンクションが得られるのであれば、「ＭＯＲＥ  ＯＰＴＩＯＮ」キー２０Ｃを押すとその頁に関連の利用できる組のソフトキーファンクションを、順次に一組づつ、繰り返して表示する。もしその最後の組のソフトキーファンクションが現在表示され、そして活きているのであれば、キー２０Ｃを押すことにより順序として最初の組のソフトキーファンクションを表示し、そして活性にさせる。更に、「ＭＯＲＥ  ＯＰＴＩＯＮ」キー２０Ｃを使って、装置をオンとした後臨床コンフィギュレーションモードに入ることもできる。
例えば、標準表示頁がポンプ上に表示されているときに「ＭＯＲＥ  ＯＰＴＩＯＮ」キー２０Ｃを押すと、そのとき得られる様々なソフトキーは図６に示されている。「ＭＯＲＥ  ＯＰＴＩ０Ｎ」キー２０Ｃを一度押すと、「ＳＴＡＮＤＢＹ」がソフトキーデイスプレイ３８Ｅに表示され、「ＣＮＴＲＳ」がソフトキーデイスプレイ３８Ｆに表示され、そして「ＡＢＲ，ＤＥＶＩＣＥ」がソフトキーデイスプレイ３８Ｇに表示される。ソフトキーデイスプレイ３８Ｈは、空白である。「ＭＯＲＥ  ＯＰＴＩＯＮ」キー２０Ｃを再び押すと、「ＴＯＴ  ＶＯＬ」がソフトキーデイスプレイ３８Ｅに表示され、「ＤＥＶＩＣＥ」がソフトキーデイスプレイ３８Ｆに表示され、「ＣＯＮＦＩＧ」がソフトキーデイスプレイ３８Ｇに表示され、そして「ＮＯＴＥ」がソフトキーデイスプレイ３８Ｈに表示される。「ＭＯＲＥ  ＯＰＴＩＯＮ」キー２０Ｃを押して三度目に「ＢＡＴ  ＬＯＧ」がソフトキーデイスプレイ３８Ｆに表示され、そして「ＤＥＭＯ  ＷＤ」がソフトキーデイスプレイ３８Ｇに表示され、そしてソフトキーデイスプレイ３８Ｅ、３８Ｈは空白である。これらのソフトキーディスプレイの各々は、ポンプのコンフィギュレーションとプログラミングに応じて他のメッセージを表示できる。
「ＳＴＡＮＤＡＲＤ  ＤＩＳＰＬＡＹ」コントロール２０Ｂにより、ユーザーは、各ポンプの状態についての情報を表示する標準頁に戻れる。
操作説明
操作に入る
オペレーターが「ＯＮ／ＯＦＦ」コントロールをレリーズすると、装置はどの操作モードを開始すべきかを決める。通常は、装置は臨床操作に入るが、「ＯＮ／ＯＦＦ」コントロールをレリーズする前に「ＭＯＲＥ  ＯＰＴＩＯＮ」コントロールを押すことにより臨床コンフィギュレーションモードに入れる。装置が臨床操作に入るとき、パワーアップＯＫ音声信号が与えられる。
装置をオフにする
装置がオンになっているとき「ＯＮ／ＯＦＦ」コントロールをユーザーが活性にすることにより装置はオフにされる。以下のステップが採られる。
ａ）総てのポンプについて流体供与を停止させる。
ｂ）メモリーの更新があれば、更新を完了させる。
ｃ）プログレスにおけるすべてのカセットホーミングシーケンスを完了させる。
ｄ）すべての音声信号を消し、すべてのＬＥＤをオフとし、ＬＣＤを消し、そして背光を消す。
ｅ）「ＯＮ／ＯＦＦ」がレリーズされると、装置への給電を止めて装置を停める。
ポンプ選択
オペレーターはポンプ選択コントロールＡ、Ｂ、Ｃを押すことによりいずれかのポンプを選択する。これらのコントロールの一つを活性させると対応するポンプ頁が出る。電源をオンにすると、最も後に選択されたポンプが選択される。その選択されたポンプにカセットが装着されていなければ、カセットが装着されている左端のポンプが選択される。もしどのポンプにもカセットが装着されていなければ、ポンプＡが選択される。
注入処方セットアップ／監視
オペレーターは標準頁デイスプレイを使用することにより３台のポンプの状態を監視できる。この標準頁デイスプレイは「ＳＴＡＮＤＡＲＤ  ＤＩＳＰＬＡＹ」キーを押すことにより作れる。間接的にもしくは直接的に標準頁から到達したすべてのデイスプレイ頁は、ユーザーがキーを押さなければ６０秒経つと標準頁に置き換えられる。現在のセットアップされた注入処方に関する情報がポンプ毎に表示される。
図７を、特に中間ポンプチャンネルについて表示されている情報を参照する。割合−体積−時間注入についての標準デイスプレイ頁上に以下の情報が表示される。
体積注入割合（ｍｌ）が正規の大きさの数字で表示される。残存体積（ｍｌ）も正規の大きさの数字で表示される。注入した体積（ｍｌ）も正規の大きさの数字で表示される。現在の装置のタイプが表示される。
装置をオンにすると、カセットが配置されている総てのポンプについての状況を標準頁が提示する。ポンプシャーシにカセットを取り付けるとＬＣＤ３２は標準デイスプレイ頁を使用するポンプについての情報を表示する。カセットを除去すると、標準デイスプレイ頁を使ってＬＣＤ３２によりそのポンプについての情報が１２０秒表示され、それからもしカセットが再装着されなければ消える。もし別のポンプが選択されると、カセットのないポンプについての情報はＬＣＤ３２から取り除かれる。
図８を参照する。体積モードでポンプが作動しているとき表示されるポンプ状態頁が示されている。この頁へのアクセスはポンプ選択スイッチ２０Ｉ−２０Ｋの一つを押すことにより得られる。表示された情報は、体積注入割合（ｍｌ／ｈｒ）、残存体積（ｍｌ）、残存時間（時間、分）、注入された体積がクリアされた日時そして注入タイプ（Ｖ／ＲもしくはＶ／Ｔ）である。
ユーザーが利用できるデータエントリーソフトキーには、ユーザーが変えようとするデイスプレイ上のパラメーターを選択するＡ「ＳＥＬＥＣＴ」ソフトキーがある。例えば、体積注入割合、残存体積、残存時間、注入された体積、そして注入タイプが選択される。他の２個のソフトキーを使ってパラメータ値、体積注入割合、残存体積、残存時間、そして注入タイプを変える。「ＣＬＥＡＲ」ソフトキーを使って体積注入パラメータをデフォルト値にセットする。「ＣＬＥＡＲ」もしくは変更ソフトキーを使って、パラメーターの現在値を変える前にその値を「ＲＥＣＡＬＬ」キーが検索する。「ＥＮＴＥＲ」キーを押してその選択したパラメーターに対してその新しく入力した値を入れる。
割合の設定、残体積、残り時間
通常、注入処方は以下のように特定される。
ａ）流体を特定の割合で加える。その処方の終了点は与えられない。すなわち、流体体積もしくは注入期間は特定されない。
ｂ）ある体積の流体を特定の割合で与える。
ｃ）ある体積の流体を特定の時間長さに亘って与える。
ｄ）容器内の全ての流体を特定の割合で加える。（「全てを注入」を処方）
注入処方を特定するこれらの方法に対応し、そしてオペレータが必要なパラメータを入力する時のエラーの可能性を最小化するために、ポンプの各々に対して注入タイプを設定する。注入タイプは体積／割合もしくは体積／時間である。
体積／割合の注入タイプの間、オペレータは残体積と注入割合だけを設定すれば良い。割合もしくは残体積の新しい値を受け付けると、残り時間を再計算して表示する。もし、残体積が「全部」であるならば、残り時間は、不定であり、「 」として表示する。もし注入割合及び残体積の現在値が許容される最小残り時間以下の残り時間を特定するならば、文字「＜」を残り時間の前に付ける。例えば、
注入割合  ：  １００ｍｌ／ｈｒ
残体積    ：  １ｍｌ
残り時間  ：  ＜００ｈ  ０１ｍ
もし注入割合及び残り時間のパラメータの値を、計算した残り時間が最大残り時間よりも大きくなるような組合せで入力するならば、文字「＞」を残り時間の前に付ける。例えば、
注入割合  ：  ｌｍｌ／ｈｒ
残体積    ：  ２５０ｍｌ
残り時間  ：  ＞９９ｈ  ５９ｍ
体積／時間の注入タイプの間、オペレータは残体積と残り時間だけを設定すれば良い。残体積（ＶＲ）もしくは残り時間（ＴＲ）のパラメータの新しい値を受け付けると、注入割合を再計算して表示する。もしオペレータが、範囲外の割合を特定するＶＲ及びＴＲの値の組合せを入力するならば、オペレータが新しい値を承認しようとする時にプロンプトが与えられる。
オペレータは、ポンプ状況ページの「ＳＥＴＵＰ」行を使用して体積／割合及び体積／時間の注入タイプを変更する。もし選択されたポンプが現在流体を注入しているならば、この行を選択しても良いが、注入タイプを変更しない方が良い。注入タイプを変更すると、割合、体積、時間をデフォルト値に設定する。
注入処方の開始／停止
「ＳＴＡＲＴ／ＳＴＯＰ」制御を、注入処方を作動したり、一時停止したりするのに使用する。この制御は選択されたポンプにだけ直接作用する。この制御の作動に対する機器の正確な応答は、選択されたポンプのステータスによって変わる。
ａ）停止−「ＳＴＡＲＴ／ＳＴＯＰ」を押すと、選択されたポンプに関して注入処方を作動する。
ｂ）注入−「ＳＴＡＲＴ／ＳＴＯＰ」を押すと、流体の注入を停止する。
ｃ）アラーム−もし選択されたポンプに関してポンプのアラームが表示されているならば、「ＳＴＡＲＴ／ＳＴＯＰ」を押すと、通常、アラームを解除し、流体の注入を開始する。
ｄ）スタンバイ−「ＳＴＡＲＴ／ＳＴＯＰ」を押すと、選択されたポンプに関して注入処方を作動する。
ｅ）ＫＶＯ−「ＳＴＡＲＴ／ＳＴＯＰ」は流体の注入を停止し、ステータスを「停止」に変更する。
もし現在選択されているポンプが稼働していないならば、「ＳＴＡＲＴ／ＳＴＯＰ」は無効である。
データ入力
機器にデータを入力するかもしくはデータを変更する場合、ユーザは３つの仕事をする。
ａ）変更するパラメータを選択する（例えば、注入割合）。これは選択するポンプの変更を必要とするかもしれない。
ｂ）パラメータの値を変更する。（例えば、注入割合を１００ｍｌ／ｈｒから１２４ｍｌ／ｈｒに変更する。）
ｃ）機器に新しいパラメータを実行するよう指示する（例えば、値を「入力する」。）。
加えて、パラメータ値の変更が実施される前に、オペレータがパラメータ値の変更をキャンセルする手段は常に使用可能である。必要なデータタイプは２つある。
ａ）数字（例えば、注入割合を入力する。）
ｂ）リストから値の選択（例えば、薬品の計算で使用するために薬品リストから薬品を選択する。）
以下の章で、オペレータが、これらのデータタイプの各々を選択、変更、承認することが可能な手段を説明する。
数値データエントリ
パラメータを選択して変更するために、オペレータは、変更させられるべきパラメータを含んだページを起動する。パラメータは、機能及び重要性によってグループ化され、ページは、関係のないパラメータを含まない。ユーザはそれからＬＣＤ３２上のカーソルを動かし、変更するべきパラメータを強調表示する。データエントリを可能とするページが表示されているときは、常にそのページ上のパラメータの一つが、コントラストを反対にして（強調表示されて）表示される。オペレータは、「ＳＥＬＥＣＴ」ソフトキーを用いてカーソルを動かす。このソフトキーは、次のパラメータを強調表示し、すなわち、カーソルが新しく選択されたパラメータに動く。そのページにある最後のパラメータが選択されるときに、この「ＳＥＬＥＣＴ」キーを押すと、カーソルが最初のパラメータに動く。そのページに表示される全てのパラメータが選択されているとは限らず、あるパラメータは、変更される前に、オペレータによる特別な操作を必要としている場合もある。
数値データのエントリは、選択されたパラメータ値をスクロールすることによって行われる。値が変更されるべきとき、４つのソフトキーが、この値を増分または減分するように機能する。このソフトキーには、↑，↓，ＦＡＳＴ↑及びＦＡＳＴ↓がある。↑，↓，ＦＡＳＴ↑又はＦＡＳＴ↓のいずれかを起動すると、数値が増分又は減分され始める。↑又は↓を押さえる場合には、この値は、増分を増やすにつれて、大きくなり又は小さくなる。パラメータのとる値の範囲がかなり広いため、この加速させる方法は各パラメータに関して定めることができる。例えば、注入割合を変更するとき、この値は、一単位の増分で最初に変化し、それから十単位の増分で、さらには百単位の増分で変化してもよい。それからソフトキーを再び押すと、スクロール速度が、ソフトキーが離されたときの実際の増分ではなく、最初の一単位の増分で変化する。
ＦＡＳＴ↑及びＦＡＳＴ↓ソフトキーが、急速に値を大きくし又は小さくする別の方法を提供する。各パラメータに対して、健康管理施設で用いられる典型的な値のリストが、ポンプのメモリ２３に記憶される。ＦＡＳＴ↑ソフトキーを押すと、値のリストにある次の値が表示される。同様に、ＦＡＳＴ↓ソフトキーを押すと、リストにある一つ前の値が表示される。これらのソフトキーは、値を増分してスクロールせずに、値のリストをユーザが素早くジャンプできるようにする。所望の値に近い値が表示されると、所望の値がＦＡＳＴ↑及びＦＡＳＴ↓ソフトキーを押すことによって表示されたものと異なる場合には、↑及び↓ソフトキーを用いて、正確に所望の値を選択することができる。代わりに、ＦＡＳＴ↑及びＦＡＳＴ↓ソフトキーが、値リスト内にあり、全体の値リストの一部であるが、ソフトウェアフラグ又は識別子のいずれかにより識別され、又はポンプメモリ２３に記憶されたルックアップテーブル又はインデックスに含まれた値リスト内にある特定の値にジャンプするようにプログラムされることもできる。典型的な値のリスト、ソフトウェアフラグ又は識別子、ルックアップテーブル又はインデックスは、生体臨床医学の技術者により構成され、以下に完全に説明されるメンテナンスモードを用いて特定の機関又は診療所に利用可能な値をカスタマイズする。
値が一旦変更されると、「ＳＥＬＥＣＴ」ソフトキーはもはや利用することができない。そのために、新しいパラメータは、選択されたパラメータに対する新しい値がキャンセルされ又は受け入れられるまで、選択されることはできない。別のソフトキーである「ＣＬＥＡＲ」が、体積注入パラメータのプリセット値をリセットするために用いられる。
パラメータ値が、↑，↓，ＦＡＳＴ↑，ＦＡＳＴ↓又は「ＣＬＥＡＲ」ソフトキーを押すことによって変化するときは、２つの新しいソフトキーが定義される。「ＳＥＬＥＣＴ」ソフトキーは「ＥＮＴＥＲ」ソフトキーに置き換えられ、「ＣＬＥＡＲ」ソフトキーは「ＲＥＣＡＬＬ」ソフトキーに置き換えられる。「ＥＮＴＥＲ」ソフトキーを起動すると、現在表示されている変更された値が、装置のメモリ２３内に記憶された値をその値に置き換える。この装置は、それからその値の変更に影響を与えるために必要とされる全ての動作を実行する。「ＲＥＣＡＬＬ」ソフトキーを起動すると、選択されたパラメータの現在値（↑，↓，ＦＡＳＴ↑，ＦＡＳＴ↓又は「ＣＬＥＡＲ」ソフトキーが押される前の値）が表示される。「ＥＮＴＥＲ」又は「ＲＥＣＡＬＬ」ソフトキーのいずれかを起動すると、「ＥＮＴＥＲ」及び「ＲＥＣＡＬＬ」ソフトキーのオプションが削除され、再び「ＳＥＬＥＣＴ」ソフトキーがイネーブルとされる。
↑，↓，ＦＡＳＴ↑又はＦＡＳＴ↓を用いて値が変更されるとき、（スクロールしていないときに）変更された値が点滅する。これは、オペレータに、値が変更されたが、受け入れられないことを警告する。
数値パラメータを変更するとき、変更されているパラメータ値に従属する別のパラメータ（例えば、残り時間は注入割合に従属する）が存在することがある。従属パラメータが存在するとき、それらは、設定されているパラメータとして同一ページに表示され、「ＥＮＴＥＲ」ソフトキーが押されて、その値が記憶されたときに、更新される。
リストから選択
装置のほとんどのパラメータが、非常に少ない数の可能値を有する。例えば、時間ディスプレイフォーマットが、「ａｍ／ｐｍ」又は「２４時間」フォーマットに限定される。これらの値を入力又は変更するために、オペレータは、可能値のリストから一つの値を選択することができる。リストから値を入力する２つの方法が、リストを通してスクロールすることと、リストから選択することを必要とされる。
リストを通したスクロール
可能値のリストが短く、ＬＣＤ３２のスペースが制限されているとき、リストから一つの値のみが各々の瞬間に表示される。このパラメータは、「ＳＥＬＥＣＴ」ソフトキーを用いて、数値データエントリに関して選択される。リストを通してスクロールすることは、上述した方法と同様に行われるが、リスト内の値が所望の予め定められた方法でアクセスされるように、ＦＡＳＴ↑及びＦＡＳＴ↓ソフトキーをプログラムすることが可能である。リスト及びスクロール速度は、メンテナンスモードを用いて構成され、特定のニーズ及び設備の動作に従って、パラメータ選択をカスタマイズする。
リストから選択
リストの適切な選択が一旦表示されると、オペレータは、「ＳＥＬＥＣＴ」ソフトキーを用いてパラメータ値を変更することができる。このソフトキーはカーソルをページの正しい値に動かして、ページの最後から最初の値までをラッピング(wrapping around）する。
適切な値が選択されたとき、オペレータは「ＥＮＴＥＲ」ソフトキーを用いることによって新しい値を受け入れなければならない。カーソルがリスト中の新しい値に動かされると、新しい値が受け入れられる又はキャンセルされるまで、強調表示された値が点滅する。数値データエントリ中に用いられる「ＳＥＬＥＣＴ」ソフトキーは、リストから値を選択するために用いられる「ＳＥＬＥＣＴ」ソフトキーと混同されるべきではない。数値データエントリ「ＳＥＬＥＣＴ」ソフトキーは、オペレータがパラメータを選択できるようにし、それから↑及び↓ソフトキーが値を変更するために用いられる。リスト「ＳＥＬＥＣＴ」ソフトキーは、可能値のリストからの値を選択するために用いられる。変更されるべきパラメータは、既に決定されている。
服用量の割合計算の特徴に関する動作
本願発明における投与量の割合計算の特徴は、ポンピングチャンネル(pumping channel）が量の割合モードで設計されているときのみ、オペレーターによって可能となる。この投与量の割合計算の特徴は、各チャンネルに対して個々に選択する必要がある。ポンピングチャンネルが量の時間モード、即ち、第二のモードである間オペレーターが投与量の割合計算モードを入力したい場合、オペレーターは、ポンピングチャンネルを量の割合モードにリセットする必要がある。更に、投与量の割合計算モードは、注入がなされている間可能化される。ポンピングチャンネルは、投与量の割合計算モードが可能化される前に停止する必要がある。
オペレーターは、所望するポンピングチャンネルに割り当てられたキー２０Ｉ−２０Ｋの一つを押すことによって、個々のポンピングチャンネルの投与量の割合計算モードをアクセスする。このキーを押すと、図８に示されるように、標準的な表示頁が示される。オペレーターが、その後、「MORE OPTI0NS」キー２０Ｃを押すと、図９に示すようにその表示が変わって、「CALC ON」ソフトキーが示される。オペレーターは、その後、「CALC ON」の下のソフトキー２０ｈを押して、選択されたポンプチャンネルに対する投与量の割合計算モードを入力する。それによって、DRCチャンネル情報頁が示され、その例が図９に説明されている。
図８及び図９について説明する。オペレーターが「CALC ON」ソフトキーを押した後にDRCチャンネル情報頁が示されたとき、用語「DRUG?」が逆の照明によって強調される。上述したように、そのような方法で強調されたパラメータは、オペレーターによって入力されるか、又はそのオペレーターによって調整されるパラメータである。DRCチャンネル情報頁は変数名及び次のパラメータに対する入力されたパラメータを示す。その次のパラメータは、薬の名前、患者の体重、薬の濃度単位、投与量の割合、濃度に対する希釈量、投与量の単位、投与重量の単位、投与の時間単位、体積割合、体積の残り（ＶＲ）、注入した体積（ＶＩ）、注入した投与量である。
DRCチャンネル情報頁が可能化されるとき、次のソフトキーが表示される。即ち、そのソフトキーは、「Select」、「↑」、「↓」及び「Fast↑」である。前述したように、DRCチャンネル情報頁で利用可能である各種のパラメータは、所望のパラメータが強調されるまで、「Select」ソフトキーを連続的に押すことによってアクセスされる。一般に、「Select」を押すことによって変更すべきパラメータをオペレータが一旦選択すると、パラメータの値は、↑又は↓のいずれかのソフトキーを押すことによって変更される。↑のソフトキーは、パラメータについて利用可能な値のリストのうち最も小さい値から最も大きい値までスクロールアップするために使用される。反対に、↓のソフトキーは、リストにおける値のうち最も大きい値から最も小さい値までスクロールダウンするために使用される。↑及び↓のキーは、押されている場合、リストの値をずっとスクロールし続ける。更に、薬の名前のリストから薬の名前を選択する場合、表示された値がリストの上部か又は下部のいづれかに存在するときソフトキーが押されるならば、そのリストは、ラップアランド（wrap around）する。このように、例えば、↑のソフトキーを押した後表示された値がリストの最初の薬の名前である場合、↑のソフトキーを再び押すことは、リストの最後の薬の名前を表示することになる。
前述したように、DRCチャンネル情報頁が最初に可能化されるとき、「DRUG?」パラメータは、デフォールト(default）によって強調される。薬の名前はリストに記憶され、必ずしもそうではないが、ＡからＺのアルファベットの順序で配置される場合がある。薬のリストは固定されるが、ポンプのメモリ２３内に記憶されたプログラムを変更することなしに技術者によって変更され得ない。オペレータは、↑及び↓のソフトキーを押すことによって、薬の名前のリスト中をスクロールする。DRCモードにおいて、Fast↑ソフトキー及びFast↓ソフトキーはプログラムされて、所定の名前にジャンプする。例えば、ソフトキーはプログラムされて、アルファベットの文字で始まる薬の名前の各セットにおける最初の薬の名前を表示する。例えば、最初の薬の名前は、Ａ、Ｂ、Ｃ等で始まる。オペレータは、薬の名前のリスト中をスクロールするので、各名前はDRCチャンネル情報頁に表示される。そのリストがスクロールされている間各薬の名前が表示されるので、その特定の薬の名前に関してプログラムされた薬の濃度単位及び服用量の割合の単位は、DRCチャンネル情報頁に自動的に表示される。所望の薬が薬の名前のリストから選択されたとき、オペレータは「ENTER」ソフトキーを押して、薬の名前を固定して、DRCチャンネル情報頁上でPatient Weightパラメータに自動的に移動する。
多くの機関において、小数の薬が、特定の狭い範囲の薬の濃度単位及び服用量の割合の単位内で機械的に処方される。それ故に、本願発明のポンピングシステムは、Fast↑ソフトキー及びFast↓ソフトキーを用いて、これらの薬を迅速に選択する方法を提供する。これらのソフトキーを用いて、オペレータは、薬の名前のリスト中を迅速にスクロールする。前述したように、Fast↑ソフトキー及びFast↓ソフトキーは、維持モードを用いて生物医学技術者によってプログラムされて、特定の機関又は医療環境のためにポンプを特別に動作させる。
薬の名前のリストから薬の名前を選択することによって、薬の注入のための次のパラメータがセットされる。即ち、その薬のための標準的な服用量の割合の単位、薬の濃度ための標準的な濃度の単位、患者の体重、服用量の割合、及び容量の割合が「ー」にクリアされ、薬の濃度量及び希釈量が「ー」にクリアされる。薬の濃度の単位及び服用量の割合の単位を除き、標準的なリストか又は省略したリストのいずれから薬の名前を選択した後、全てのパラメータがオペレータによって変更される。
時々、薬の名前のリストか又は省略した薬の名前のリストのいずれかに含まれている薬が処方される。その理由は、それが新しい薬であるか、又は機関で機械的に使用されない薬であるからである。この場合、「DRUG?」パラメータが選択されたとき、オペレータは、注入パラメータの値を入力することによって、注入ポンプに関する服用量割合の計算の特徴をまだ使用することができる。薬の名前「DRUG?」を選択することによって、オペレータは、DRCチャンネル情報頁に表示されたパラメータの各々に対する値を入力することができる。選択された薬の名前が「DRUG?」である場合、患者の体重、服用量の割合、及び容量の割合が「ー」にクリアされ、残りの容量が「１ｍｌ」にクリアされ、注入された容量及び注入された服用量は「０」にクリアされる。
多くの薬は、患者の体重に基づいて特定の量の薬をその患者に与えるように処方される。患者の体重を必要とする薬の名前の標準的なリストか又は省略したリストのいずれからか薬を選択するとき、「Weight」パラメータは「ー」を表示し、値が入力されるまで注入を開始することができない。薬が選択され、その薬の送出が患者の体重に基づかない場合、患者の体重を表示するDRCチャンネル情報頁のラインは、ブランクラインによって取替えられる。オペレータは、選択した薬に対する服用量の割合の単位が、例えば、次の一つである場合、患者の体重に対する値を与えるように要求される。その次のものとは、mcg/kg/min、mcg/kg/hr、mg/kg/dayである。多くの他の組み合わせが可能であるが、現在使用されている単位は補遺に掲載されている。
オペレータは、「Weight」パラメータが表示装置で強調されるまで「SELECT」ソフトキーを押して「Weight」パラメータを選択することによって、患者の体重に対する値を入力できる。患者の体重が入力され、表示されたその値が「ー」であるとき、↑、↓、又はFast↑ソフトキーを押すことによって、値が成人型の装置用の７０ＫＧに変えられ、ネオナタル(Neonatal)型の装置用の１ＫＧに変えられる。患者の体重は、キログラム(KG)又はグラム(G)のいづれかで入力できる。パウンド(lbs）での同等の体重が自動的に計算されて、表示される。患者の体重は、パウンドでも入力され得る。この場合、患者の体重は、自動的にキログラム又はグラムで表示される。患者の体重は、↑、↓、又はFast↑、Fast↓ソフトキーを用いて入力され、所望の体重が表示されるまで、DRCチャンネル情報頁に表示された値を増加させるか、またはその値を減少させる。患者の体重を変更することによって、結果として、容積の割合が再計算され、そして表示される。
注入する薬の濃度は、薬の量と希釈剤体積のパラメーターに基づいて計算される。上述したように、薬名の標準リストから薬の名前を選択すると、濃度単位のためのデフォルト値を自動的に入力する。次にオペレーターは、「ＳＥＬＥＣＴ」ソフトキーを使用し、次に↑、↓、ＦＡＳＴ↑、ＦＡＳＴ↓ソフトキーを使用してパラメーターの取り得る値をスクロールし、ＤＲＣチャンネル情報ページに表示される値を所望の値が表示されるまで増加又は減少させてパラメーターを選択することにより、薬量と希釈剤体積の値を入力しなければならない。薬の濃度、薬の濃度単位、希釈剤体積のいずれかが変わった時は、体積割合が自動的に再計算されて表示される。さらに、希釈剤体積を変化させると、自動的に注入する体積の値のパラメーターを希釈剤のために選定する値に等しくセットする。
オペレーターが標準又は省略薬名リストにない薬の値を入力するが一般の「ＤＲＡＧ？」の値を使用しないときは、オペレーターは薬の濃度単位を変化させることができる。次はオペレーターが選択できる薬量の単位である。マイクログラム（ｍｃｇ）、ミリグラム（ＭＧ）、グラム（Ｇ）、ミリグラム当量（Ｍｅｑ）、単位（Ｕｎ）、ミリ単位（ＭＵｎ）、ミリモル（Ｍｍｏｌ）である。希釈剤体積は、ミリリットル（ｍｌ）で入力する。しかし、薬名が標準又は省略薬名リストから選択されるときは、薬の濃度単位は自動的にセットされ変えることができない。
ＤＲＣチャンネル情報ページに表示される投与割合単位は、薬の濃度単位、患者の体重単位、注入時間単位からなる。選択した薬名が「ＤＲＡＧ？」であるときのみ、オペレーターは投与割合単位を変えることができる。そうでなければ、薬名が標準又は省略薬リストから選択されるとき、投与割合単位は自動的にセットされる。投与割合単位は、単位の個々の部分を選択しスクロールすることにより、変えることができる。即ち、薬の濃度、患者の体重、注入時間は、オペレーターが別々に選択しセットしなければならない。オペレーターは、最初に投与割合単位の最初の部分即ち薬の量単位が強調されるまで、「ＳＥＬＥＣＴ」ソフトキーを押す。所望の単位が表示されるまで薬の量単位の値の記憶したリストをスクロールした後、オペレーターは「ＳＥＬＥＣＴ」ソフトキーを押して、強調のバーを患者の体重単位パラメーターに動かす。患者の体重単位は、上述したように選択され、選択プロセスは注入時間単位のパラメーターのために繰り返される。
所望の実際に注入する投与割合はまた、投与割合の値、即ち前に入力されていれば数値又は入力されていなければ「−」が、ＤＲＣチャンネル情報ページの表示で強調されるまで、オペレーターが「ＳＥＬＥＣＴ」ソフトキーを押して入力することができる。次にオペレーターは、所望の投与割合が表示されるまで投与割合の取り得る数値のリストをスクロールする。使用する投与割合は、オペレーターが「ＥＮＴＥＲ」を押すことにより確認される。投与割合が変化すると、体積割合は自動的に計算され表示される。投与割合の入力した値が、薬又はポンプの構造の許容範囲外の体積割合になれば、体積割合は「−」にセットされ、有効な体積割合になる投与割合が選択されるまで注入を開始することができない。
体積割合は、ＤＲＣチャンネル情報ページに表示され、↑と↓ソフトキーを使用して体積割合の取り得る値のリストをスクロールし、このページから変えることができる。もしオペレーターが体積割合を変えると、投与割合は自動的に再計算される。さらに、もしオペレーターが患者の体重、薬の濃度、薬の量、薬の量単位、希釈剤体積、投与割合、投与割合単位、薬の名前を変えると、体積割合は再計算されて表示される。薬名の標準リスト又は省略薬名リストから新しい薬名が選択されるとき、体積割合の値はクリアされ値「−」を表示する。上に列挙したパラメーターが変化し、注入する薬又はポンプの選択した構成による場合でも、再計算した体積割合の値が許容範囲外になれば、体積割合は値「−」にセットされ、有効な体積割合が表示されるまで注入を開始することができない。
注入する残りの体積は、ＤＲＣチャンネル情報ページに表示され、このページから変えることができる。希釈剤体積が変化するとき、残りの体積は希釈剤パラメーターのための値と同じ値に自動的にセットされる。このパラメーターの値は、後述するように注入中に変えることができる。
ＤＲＣチャンネル情報ページの最終行は、注入された体積と注入された投与のパラメーターを表示する。これらの値は注入ポンプの動作により、ＤＲＣチャンネル情報ページから変えられない場合もある。注入された体積の値と注入された投与のパラメーターは、ＤＲＣチャンネル情報ページからクリアできるだけである。注入された体積と注入された投与のパラメーターの表示される値は関連しているが、相互に独立にクリアすることができる。注入された体積はミリリットルで表示され、注入された投与は薬の濃度と同じ単位で表示される。もし、薬の濃度単位が変わると、注入された投与されたパラメーターの値は自動的に「０」にセットされる。
いったんオペレーターが全ての必要なパラメーターの満足する値を選択すると、「ＳＴＡＲＴ／ＳＴＯＰ」キー２０ｄを押すことにより注入が開始される。もしパラメーターのどれかの選択した値が、薬又はポンプの構成の許容範囲外の体積割合となれば、体積割合は「−」と表示され、注入を開始することができない。プロンプトライン３６が、ポンプで注入するなら「量多すぎ、再入力」、「量少ない、再入力」というようなメッセージをオペレーターに表示する。もしポンプが停止すると、プロンプトライン３６が、「全ての投与設定を確認せよ」というメッセージをオペレーターに表示する。オペレーターはまた、「ＳＴＡＮＤＡＲＤ  ＤＩＳＰＬＡＹ」キー２０Ｂを押すことにより、標準表示ページに変えることができる。
図７を参照すると、標準表示ページが示され、チャンネルＡとチャンネルＣは投与割合計算態様がイネーブルで、チャンネルＢは投与割合計算態様がイネーブルでなく設定されている。チャンネルＡの表示に示されるように、投与割合計算態様がイネーブルであれば、標準表示ページは、この例では注入量５ｍｌ／ｈ、投与割合をここでは２．３ｍｃｇ／ｋ／ｍｎ、薬名を例えばドーパミンと表示する。一方、チャンネルＢのように投与割合の計算がイネーブルでなければ、標準表示ページは、体積割合１５ｍｌ／ｈ、体積残り（ＶＲ）２５０、注入された体積（ＶＩ）０と表示する。チャンネルＣに示すように注入装置によりアラーム状態が検出されると、薬名は表示されたまま残り、投与割合計算態様はイネーブルであると表示するが、チャンネルＣの状態ライン領域３４ｃは「Ａｌａｒｍ」とＡｌａｒｍの種類を示し、ここに「Ａｉｒ  ｉｎ  Ｌｉｎｅ」が表示される。体積割合もまた表示されるが、体積単位は表示されない。
注入中の投与割合計算態様の動作
標準体積割合、体積時間の注入中、又は第２モードの間は、イネーブルにならない場合がある。しかし、投与割合計算態様が既にイネーブルであれば、注入中にＤＲＣチャンネル情報ページがアクセスされる場合もある。従って、投与割合計算態様は、患者に注入されている薬の投与の量を滴定するのに使用される。この態様は、注入が長い時間のとき特に有効であり、投与の量は患者の重大なサインによって調節し、改善された治療上の結果を得るようにすることもできる。ポンプが注入している間に、所望のチャンネルキー２０Ｉ−２０Ｋを押すことにより、オペレーターはＤＲＣチャンネル情報ページにアクセスすることができる。
ポンプが注入を行なっている間、オペレータはこの注入を停止すること無く、投与量、体積流量、及び残り体積の各パラメータを変更することが出来る。注入体積及び注入投与量の値は、「０」に戻すことが出来るが、変更することは出来ない。オペレータが投与量を変更する場合、体積流量が自動的に再計算される。これとは反対に、体積流量を変更すると投与量の自動再計算及び表示が結果される。ポンプが注入を行なっている間ＤＲＣチャンネル情報頁にアクセスすると、ＤＲＣチャンネル情報頁が表示されている時は、投与量パラメータが強調（ハイライト）表示される。
ポンプが注入を行なっている間に何れかのパラメータの選択された値が変更された場合に、ポンプの構成に許容される範囲外の体積流量が結果される場合、オペレータには、流量が最大許容値よりも高い場合には「流量が高過ぎる」、体積流量が最小許容値よりも低い場合には「流量が低過ぎる、値を再入力せよ」及び「入力（エンター）又は取消（リコール）を押せ」の様なメッセージが、ＤＲＣチャンネル情報頁表示のプロンプトライン３６に直ちに指示される。オペレータが、薬又はポンプ構成に対して許容される範囲内の計算された体積流量を結果するために必要なパラメータを変更する迄、注入は以前に選択された体積流量で続行する。
投与量計算機能は、ポンプが注入を行なっている最中に注入を停止するための「START/STOP」キー２０ｄを押すことによって、利用不能とすることができる。追加のソフトキーを表示するために、「MORE OPTI0NS」キー２０Ｃが次に押される。オペレータは次に投与量計算機能を利用不能とするための「CALC OFF」ソフトキー２０ｈを押すことが出来る。「CALC OFF」ソフトキーが押される時、薬名、患者体重、薬濃度及び投与量に対して選択された値が消去され、上述のデフォルト値に設定される。投与量計算機能は、注入システムへの電力を切るための「ON/OFF」キー２０Ａを押すことによっても利用不能とすることが出来る。システムは５分より短い時間電源が切られる場合、選択され且つＤＲＣチャンネル情報頁に表示されるパラメータの全ての値が保持される。しかしながら、システムが５分以上電源が切られる場合、体積流量、残り体積及び注入体積に対する値を除く全てのパラメータ値は、削除され且つ投与量計算機能が利用不能にされる。
投与量計算リストの構成
機器は幅広い環境下で作動し、極めて洗練された機能を達成することが出来るので、使用される環境に機器のオペレーションを適合させる必要がある。機器が患者に液体を注入するのに使用されていない時に、適合機能が達成される必要がある。従って、これらの機能は通常のオペレーション中には利用可能ではなく、アクセスするために特別の手続を必要とする。
機器適合は機器の極めて繊細な情報を変更することを含み、機器の生医学エンジニアリング部門でのみ達成されることが希望される。変更することの出来るパラメータ及び特徴には、薬名及びそれに関係する注入パラメータのグループのリストが含まれる。ポンプを、薬名及び関係する注入パラメータのグループのリストが予めプログラムされた機器に設けることが出来るし、ポンプをプログラミングしないで供給し、機器内の種々の部分の要求に合うように有資格者によって容易にカスタム化することが出来るようにすることも出来る。例えば、同じ薬を異なる部分で異なる方法で使用することが出来、従って、薬名が薬名のリストから選択される時に注入パラメータの異なるグループが選ばれる様にポンプを個別にプログラムすることが出来る。更に、この特徴は、有資格者が薬名のリスト、及びそれに関係する注入するパラメータを加え、除去し且つ更新することを可能にする。
作動において、ポンプシステムのメモリ２３は、特定ソフトウエア１６を実行するコンピュータ１２を使用するポンプで記憶されるべきパラメータを含む第１準備ファイルによって更新される。所望の情報を含むファイルが用意出来ている場合、ポンピングシステムは通信インタフェース１４によってコンピュータ１２に接続されている。
次いで、ポンピングシステムは、通信インタフェース１４を介してコンピュータ１２からファイルの内容をポンピングシステムが受け取ることを可能とする「Maintenance（保守）Mode」に入る。これは、ポンプが既に電力投入状態に有る場合に、ポンプの電源を切るための「ON/OFF」制御２０Ａを押すことによってポンプを切ることによって達成することが出来る。「ON/OFF」制御２０Ａが次にポンプを電源を投入するために押される。ポンプに電力が投入されている最中に、「MORE OPTI0NS」制御２０Ｃを押しそして保持することによって保守モードは可能になる。機器と特定ソフトウエア１６を実行するコンピュータ１２との間の通信期間は、インタフェース１４を介して初期化される。
保守モード中、「Maintenance」が表示３２のステータスライン３４上に表示される。ソフトキーは利用可能でない。保守モードは、「ON/OFF」制御２０Ｃを押し、機器の電力を落とすことによって終了される。
保守頁がアクセスされた場合、有資格者は薬名及びそれに関連する注入パラメータをインタフェース１４を介して機器にダウンロードする。ファイルのダウンロードは、ダウンロードコマンドを送るコンピュータ１２によって開始される。機器は通信インタフェース１４を介して「Ready」コマンドを送ることによって、このコマンドに応答する。「Ready」コマンドがコンピュータ１２によって受信される時、特定ソフトウエア１６は、通信インタフェース１４を介して機器へのファイルの内容の送信を開始する。ファイルの最後の部分が転送された時、コンピュータ１２は、通信インタフェース１４を介して機器に「Complete」メッセージを送ることによってファイル転送を完了する。機器は次に「Ready」メッセージをコンピュータ１２に送ることよって応答する。エラーが発生しない場合、機器のメモリは今ダウンロードされたファイルの内容を含み、上述された様に保守モードから出る。オペレータが薬名の表示リストから薬名を選択することを試みる次に時間、表示されたリストは、コンピュータ１２によって機器に与えられる変更されたリストであり、且つ薬名の一つを選択することにより選択された注入パラメータは、上述された手順をダウンロードする間に機器メモリ２３に記憶された変更された値である。機器メモリ２３の内容は、次の保守期間まで変更されないで残っている。
種々の形態の発明が例示され且つ記述されたが、種々の変更を本発明の精神及び範囲から離れることなしに行なうことが出来る。従って、本発明は、添付された請求の範囲を除いて限定することが意図されていない。
【図１】
0003856828.tif 000002
【図２】
0003856828.tif 000003
【図３】
0003856828.tif 000004
【図４】
0003856828.tif 000005
【図５】
0003856828.tif 000006
【図６】
0003856828.tif 000007
【図７】
0003856828.tif 000008
【図８】
0003856828.tif 000009
【図９】
0003856828.tif 000010